(57)【要約】【課題】ＧＥＲＡＮの仕様に変更を加えることなく、Ｅ-ＵＴＲＡＮとＵＴＲＡＮとの間で適切に負荷情報を交換する。【解決手段】本発明に係る無線基地局ｅＮＢは、ＧＥＲＡＮにおいて要求されている第１無線情報及びＧＥＲＡＮ宛ての第１転送先アドレスを含む第１情報要素「ＲＩＭ  Ｔｒａｎｓｆｅｒ」、或いは、ＵＴＲＡＮにおいて要求されている第２無線情報及びＵＴＲＡＮ宛ての第２転送先アドレスを含む第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」のいずれか一方を設定可能な情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」を含む「ｅＮＢ  ＤＩＲＥＣＴ  ＩＮＦＯＲＭＡＴＩＯＮ  ＴＲＡＮＳＦＥＲ（情報転送用メッセージ）」を生成するように構成されている生成部１２を具備する。【選択図】図４
2011166624.tif 000002
【特許請求の範囲】
【請求項１】
Ｅ-ＵＴＲＡＮ内に配置されている無線基地局であって、
ＧＥＲＡＮにおいて要求されている第１無線情報及び該ＧＥＲＡＮ宛ての第１転送先アドレスを含む第１情報要素、或いは、ＵＴＲＡＮにおいて要求されている第２無線情報及び該ＵＴＲＡＮ宛ての第２転送先アドレスを含む第２情報要素のいずれか一方を設定可能な情報要素を含む情報転送用メッセージを生成するように構成されている生成部と、
前記ＧＥＲＡＮに対して、前記情報要素に前記１情報要素が設定されている前記情報転送用メッセージを送信し、前記ＵＴＲＡＮに対して、該情報要素に前記２情報要素が設定されている前記情報転送用メッセージを送信するように構成されている送信部とを具備しており、
前記第１情報要素内に設定可能な前記第１無線情報の種類及び前記第２情報要素内に設定可能な前記第２無線情報の種類を別々に変更可能であることを特徴とする無線基地局。
【請求項２】
前記情報転送用メッセージは、「ｅＮＢ  ＤＩＲＥＣＴ  ＩＮＦＯＲＭＡＴＩＯＮ  ＴＲＡＮＳＦＥＲ」であり、
前記情報要素は、「Ｉｎｔｅｒ-ｓｙｓｔｅｍ  Ｉｎｆｏｒｍａｔｉｏｎ  Ｔｒａｎｓｆｅｒ  Ｔｙｐｅ」であることを特徴とする請求項１に記載の無線基地局。
【請求項３】
前記第２無線情報は、モビリティ負荷分散に係る情報や、モビリティ耐久性最適化に係る情報や、エネルギーセービングに係る情報の少なくとも１つを含むことを特徴とする請求項１に記載の無線基地局。
【請求項４】
ＵＴＲＡＮ内に配置されている無線回線制御局であって、
ＧＥＲＡＮにおいて要求されている第１無線情報及び該ＧＥＲＡＮ宛ての第１転送先アドレスを含む第１情報要素、或いは、Ｅ-ＵＴＲＡＮにおいて要求されている第２無線情報及び該Ｅ-ＵＴＲＡＮ宛ての第２転送先アドレスを含む第２情報要素のいずれか一方を設定可能な情報要素を含む情報転送用メッセージを生成するように構成されている生成部と、
前記ＧＥＲＡＮに対して、前記情報要素に前記１情報要素が設定されている前記情報転送用メッセージを送信し、前記Ｅ-ＵＴＲＡＮに対して、該情報要素に前記２情報要素が設定されている前記情報転送用メッセージを送信するように構成されている送信部とを具備しており、
前記第１情報要素内に設定可能な前記第１無線情報の種類及び前記第２情報要素内に設定可能な前記第２無線情報の種類を別々に変更可能であることを特徴とする無線回線制御局。
【請求項５】
前記情報転送用メッセージは、「ＤＩＲＥＣＴ  ＩＮＦＯＲＭＡＴＩＯＮ  ＴＲＡＮＳＦＥＲ」であり、
前記情報要素は、「Ｉｎｔｅｒ-ｓｙｓｔｅｍ  Ｉｎｆｏｒｍａｔｉｏｎ  Ｔｒａｎｓｆｅｒ  Ｔｙｐｅ」であることを特徴とする請求項４に記載の無線回線制御局。
【請求項６】
前記第２無線情報は、モビリティ負荷分散に係る情報や、モビリティ耐久性最適化に係る情報や、エネルギーセービングに係る情報の少なくとも１つを含むことを特徴とする請求項４に記載の無線回線制御局。
【発明の詳細な説明】
【技術分野】
【０００１】
本発明は、無線基地局及び無線回線制御局に関する。
【背景技術】
【０００２】
現在、３ＧＰＰのＲＡＮ３では、「ＳＯＮ（Ｓｅｌｆ  Ｃｏｎｆｉｇｕｒａｔｉｏｎ  ａｎｄ  Ｓｅｌｆ  Ｏｒｇａｎｉｚａｔｉｏｎ）の機能として、異なるＲＡＴ（Ｒａｄｉｏ  Ａｃｃｅｓｓ  Ｔｅｃｈｎｏｌｏｇｙ）間で、負荷情報（Ｌｏａｄ  Ｉｎｆｏｒｍａｔｉｏｎ）の交換を行うことが検討されている。
【０００３】
異なるＲＡＴ間で負荷情報を交換する方法としては、ＧＥＲＡＮと他ＲＡＴとの間の情報交換用に規定されている「ＲＩＭ（ＲＡＮ  Ｉｎｆｏｒｍａｔｉｏｎ  Ｔｒａｎｓｆｅｒ）」を利用する第１方法や、Ｉｎｔｅｒ-ＲＡＴハンドオーバのシグナリングを利用する第２方法が検討されている。
【先行技術文献】
【非特許文献】
【０００４】
【非特許文献１】３ＧＰＰ  ＴＳ４８．０１８、「Ｇｅｎｅｒａｌ  Ｐａｃｋｅｔ  Ｒａｄｉｏ  Ｓｅｒｖｉｃｅ（ＧＰＲＳ）；Ｂａｓｅ  Ｓｔａｔｉｏｎ  Ｓｙｓｔｅｍ（ＢＳＳ）-Ｓｅｒｖｉｎｇ  ＧＰＲＳ  Ｓｕｐｐｏｒｔ  Ｎｏｄｅ（ＳＧＳＮ）;ＢＳＳ  ＧＰＲＳ  Ｐｒｏｔｏｃｏｌ（ＢＳＳＧＰ）」
【非特許文献２】Ｒ３-１００３６１、「ＨＯ-ｂａｓｅｄ  ＩＲＡＴ  Ｌｏａｄ  Ｂａｌａｎｃｉｎｇ  ｓｉｇｎａｌｌｉｎｇ」、Ｅｒｉｃｓｓｏｎ
【非特許文献３】３ＧＰＰ  ＴＳ３６．３００、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ（Ｅ-ＵＴＲＡＮ）；Ｏｖｅｒａｌｌ  ｄｅｓｃｒｉｐｔｉｏｎ；Ｓｔａｇｅ２」
【発明の概要】
【発明が解決しようとする課題】
【０００５】
しかしながら、第１方法で用いられることが検討されているＲＩＭは、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）とＧＥＲＡＮ（ＧＳＭ  ＥＤＧＥ  Ｒａｄｉｏ  Ａｃｃｅｓｓ  Ｎｅｔｗｏｒｋ）との間、及び、ＵＴＲＡＮとＧＥＲＡＮとの間の情報の交換を目的として規定されたものであり、現時点では、Ｅ-ＵＴＲＡＮとＵＴＲＡＮとの間の情報の交換に適用することができないという問題点があった。
【０００６】
すなわち、ＲＩＭを、Ｅ-ＵＴＲＡＮとＵＴＲＡＮとの間の情報の交換に利用するためには、ＧＥＲＡＮの仕様にも変更を加える必要があり、好ましくはない。
【０００７】
また、第２方法では、Ｉｎｔｅｒ-ＲＡＴハンドオーバの発生頻度が少ない場合には、Ｅ-ＵＴＲＡＮとＵＴＲＡＮとの間の情報の交換頻度も少なくなり、Ｅ-ＵＴＲＡＮ及びＵＴＲＡＮにおいて、最新の負荷情報を取得することができないという問題点があった。
【０００８】
そこで、本発明は、上述の課題に鑑みてなされたものであり、ＧＥＲＡＮの仕様に変更を加えることなく、Ｅ-ＵＴＲＡＮとＵＴＲＡＮとの間で適切に負荷情報を交換することができる無線基地局及び無線回線制御局を提供することを目的とする。
【課題を解決するための手段】
【０００９】
本発明の第１の特徴は、Ｅ-ＵＴＲＡＮ内に配置されている無線基地局であって、ＧＥＲＡＮにおいて要求されている第１無線情報及び該ＧＥＲＡＮ宛ての第１転送先アドレスを含む第１情報要素、或いは、ＵＴＲＡＮにおいて要求されている第２無線情報及び該ＵＴＲＡＮ宛ての第２転送先アドレスを含む第２情報要素のいずれか一方を設定可能な情報要素を含む情報転送用メッセージを生成するように構成されている生成部と、前記ＧＥＲＡＮに対して、前記情報要素に前記１情報要素が設定されている前記情報転送用メッセージを送信し、前記ＵＴＲＡＮに対して、該情報要素に前記２情報要素が設定されている前記情報転送用メッセージを送信するように構成されている送信部とを具備しており、前記第１情報要素内に設定可能な前記第１無線情報の種類及び前記第２情報要素内に設定可能な前記第２無線情報の種類を別々に変更可能であることを要旨とする。
【００１０】
本発明の第２の特徴は、ＵＴＲＡＮ内に配置されている無線回線制御局であって、ＧＥＲＡＮにおいて要求されている第１無線情報及び該ＧＥＲＡＮ宛ての第１転送先アドレスを含む第１情報要素、或いは、Ｅ-ＵＴＲＡＮにおいて要求されている第２無線情報及び該Ｅ-ＵＴＲＡＮ宛ての第２転送先アドレスを含む第２情報要素のいずれか一方を設定可能な情報要素を含む情報転送用メッセージを生成するように構成されている生成部と、前記ＧＥＲＡＮに対して、前記情報要素に前記１情報要素が設定されている前記情報転送用メッセージを送信し、前記Ｅ-ＵＴＲＡＮに対して、該情報要素に前記２情報要素が設定されている前記情報転送用メッセージを送信するように構成されている送信部とを具備しており、前記第１情報要素内に設定可能な前記第１無線情報の種類及び前記第２情報要素内に設定可能な前記第２無線情報の種類を別々に変更可能であることを要旨とする。
【発明の効果】
【００１１】
以上説明したように、本発明によれば、ＧＥＲＡＮの仕様に変更を加えることなく、Ｅ-ＵＴＲＡＮとＵＴＲＡＮとの間で適切に負荷情報を交換することができる無線基地局及び無線回線制御局を提供することができる。
【図面の簡単な説明】
【００１２】
【図１】本発明の第１の実施形態に係る移動通信システムの全体構成図である。
【図２】本発明の第１の実施形態に係る無線基地局及び無線回線制御局の機能ブロック図である。
【図３】本発明の第１の実施形態に係る無線基地局で生成される「ｅＮＢ  ＤＩＲＥＣＴ  ＩＮＦＯＲＭＡＴＩＯＮ  ＴＲＡＮＳＦＥＲ」内の情報要素の一例を示す図である。
【図４】本発明の第１の実施形態に係る無線基地局で生成される「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」内の情報要素「Ｅ-ＵＴＲＡＮ-ＵＴＲＡＮ用ＳＯＮ  ｉｎｆｏｒｍａｔｉｏｎ  ｔｒａｎｓｆｅｒ」の一例を示す図である。
【図５】本発明の第１の実施形態に係る無線基地局で生成される「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」内の情報要素「Ｅ-ＵＴＲＡＮ-ＵＴＲＡＮ用ＳＯＮ  ｉｎｆｏｒｍａｔｉｏｎ  ｔｒａｎｓｆｅｒ」内の情報要素「Ｅ-ＵＴＲＡＮ-ＵＴＲＡＮ用ＳＯＮ  ｉｎｆｏｒｍａｔｉｏｎ  Ｔｙｐｅ」の一例を示す図である。
【図６】本発明の第１の実施形態に係る無線基地局で生成される「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」内の情報要素「Ｅ-ＵＴＲＡＮ-ＵＴＲＡＮ用ＳＯＮ  ｉｎｆｏｒｍａｔｉｏｎ  ｔｒａｎｓｆｅｒ」内の情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」の一例を示す図である。
【図７】本発明の第１の実施形態に係る移動通信システムの動作を示すシーケンス図である。
【図８】本発明の第１の実施形態に係る移動通信システムにおけるＧＴＰｖ２-Ｃ上で「Ｅ-ＵＴＲＡＮ-ＵＴＲＡＮ用ＳＯＮ  ｉｎｆｏｒｍａｔｉｏｎ  ｔｒａｎｓｆｅｒ」を送信する方法の一例を示す図である。
【図９】本発明の第１の実施形態に係る移動通信システムにおけるＲＡＮＡＰ上で送信される「ＤＩＲＥＣＴ  ＩＮＦＯＲＭＡＴＩＯＮ  ＴＲＡＮＳＦＥＲ」内の情報要素の一例を示す図である。
【図１０】本発明の第１の実施形態に係る移動通信システムの動作を示すシーケンス図である。
【図１１】本発明の第１の実施形態に係る無線基地局で生成される「ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」内の情報要素「Ｅ-ＵＴＲＡＮ-ＵＴＲＡＮ用ＳＯＮ  ｉｎｆｏｒｍａｔｉｏｎ  ｔｒａｎｓｆｅｒ」内の情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」の一例を示す図である。
【図１２】本発明の第１の実施形態に係る移動通信システムにおけるＳ１上で送信される「ＭＭＥ  ＤＩＲＥＣＴ  ＩＮＦＯＲＭＡＴＩＯＮ  ＴＲＡＮＳＦＥＲ」内の情報要素の一例を示す図である。
【図１３】本発明の変更例１に係る移動通信システムにおいて送信される「ＲＩＭ」の一例を示す図である。
【発明を実施するための形態】
【００１３】
（本発明の第１の実施形態に係る移動通信システム）
図１乃至図１２を参照して、本発明の第１の実施形態に係る移動通信システムについて説明する。
【００１４】
本実施形態に係る移動通信システムは、図１に示すように、Ｅ-ＵＴＲＡＮと、ＵＴＲＡＮと、ＧＥＲＡＮとを具備するように構成されている。
【００１５】
また、Ｅ-ＵＴＲＡＮ内には、交換局ＭＭＥ（Ｍｏｂｉｌｅ  Ｍａｎａｇｅｍｅｎｔ  Ｅｎｔｉｔｙ）及び無線基地局ｅＮＢが配置されており、ＵＴＲＡＮ内には、交換局ＳＧＳＮ（Ｓｅｒｖｉｎｇ  ＧＰＲＳ  Ｓｕｐｐｏｒｔ  Ｎｏｄｅ）及び無線回線制御局ＲＮＣ（Ｒａｄｉｏ  Ｎｅｔｗｏｒｋ  Ｃｏｎｔｒｏｌｌｅｒ）が配置されている。
【００１６】
ここで、交換局ＭＭＥ及び無線基地局ｅＮＢは、Ｓ１インターフェイスを介して接続されており、交換局ＳＧＳＮ及び無線回線制御局ＲＮＣは、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）インターフェイスを介して接続されており、交換局ＭＭＥ及び交換局ＳＧＳＮは、ＧＴＰｖ２-Ｃインターフェイスを介して接続されている。
【００１７】
図２に示すように、無線基地局ｅＮＢ及び無線回線制御局ＲＮＣは、情報取得部１１と、生成部１２と、送信部１３と、受信部１４とを具備している。
【００１８】
情報取得部１１は、既に規定されているＭＬＢ（Ｍｏｂｉｌｉｔｙ  Ｌｏａｄ  Ｂａｌａｎｃｉｎｇ、モビリティ負荷分散）に関する負荷情報（例えば、Ｃｏｍｐｏｓｉｔｉｖｅ  Ａｖａｉｌａｂｌｅ  Ｃａｐａｃｉｔｙ  Ｇｒｏｕｐ）や、ＭＲＯ（Ｍｏｂｉｌｉｔｙ  Ｒｏｂｕｓｔｎｅｓｓ  Ｏｐｔｉｍｉｚａｔｉｏｎ、モビリティ耐久性最適化）を行うために必要な情報や、Ｅｎｅｒｇｙ  Ｓａｖｉｎｇを行うために必要な情報（エネルギーセービングに係る情報）等を取得するように構成されている。
【００１９】
無線基地局ｅＮＢの生成部１２は、「ｅＮＢ  ＤＩＲＥＣＴ  ＩＮＦＯＲＭＡＴＩＯＮ  ＴＲＡＮＳＦＥＲ」を生成するように構成されている。図３に、かかる「ｅＮＢ  ＤＩＲＥＣＴ  ＩＮＦＯＲＭＡＴＩＯＮ  ＴＲＡＮＳＦＥＲ」内の情報要素の一例を示す。
【００２０】
具体的には、無線基地局ｅＮＢの生成部１２は、図４に示すように、「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」内に、第１情報要素「ＲＩＭ  Ｔｒａｎｓｆｅｒ」或いは第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」のいずれか一方を設定するように構成されている。
【００２１】
ここで、無線基地局ｅＮＢの生成部１２は、第１情報要素「ＲＩＭ  Ｔｒａｎｓｆｅｒ」内には、ＧＥＲＡＮにおいて要求されている第１無線情報やＧＥＲＡＮ宛ての第１転送先アドレス等を設定することができる。
【００２２】
一方、無線基地局ｅＮＢの生成部１２は、第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」内には、ＵＴＲＡＮにおいて要求されている第２無線情報及びＵＴＲＡＮ宛ての第２転送先アドレス等を設定することができる。
【００２３】
具体的には、図４に示すように、無線基地局ｅＮＢの生成部１２は、第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」内の情報要素「Ｅ-ＵＴＲＡＮ-ＵＴＲＡＮ用ＳＯＮ  ｉｎｆｏｒｍａｔｉｏｎ  Ｔｙｐｅ」に、ＵＴＲＡＮにおいて要求されている第２無線情報の種類を設定することができ、第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」内の情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」に、ＵＴＲＡＮ宛ての第２転送先アドレスを設定することができる。
【００２４】
図５に示すように、無線基地局ｅＮＢの生成部１２は、上述の第２無線情報として、情報要素「Ｅ-ＵＴＲＡＮ-ＵＴＲＡＮ用ＳＯＮ  ｉｎｆｏｒｍａｔｉｏｎ  Ｔｙｐｅ」内の情報要素「ＭＬＢ  ｉｎｆｏｒｍａｔｉｏｎ  ｔｒａｎｓｆｅｒ」内に、ＭＬＢに関する負荷情報を設定し、情報要素「Ｅ-ＵＴＲＡＮ-ＵＴＲＡＮ用ＳＯＮ  ｉｎｆｏｒｍａｔｉｏｎ  Ｔｙｐｅ」内の情報要素「ＭＲＯ  ｉｎｆｏｒｍａｔｉｏｎ  ｔｒａｎｓｆｅｒ」内に、ＭＲＯを行うために必要な情報を設定し、情報要素「Ｅ-ＵＴＲＡＮ-ＵＴＲＡＮ用ＳＯＮ  ｉｎｆｏｒｍａｔｉｏｎ  Ｔｙｐｅ」内の情報要素「ｅｎｅｒｇｙ  ｓａｖｉｎｇ  ｉｎｆｏｒｍａｔｉｏｎ  ｔｒａｎｓｆｅｒ」内に、Ｅｎｅｒｇｙ  Ｓａｖｉｎｇを行うために必要な情報を設定することができる。
【００２５】
なお、情報要素「Ｅ-ＵＴＲＡＮ-ＵＴＲＡＮ用ＳＯＮ  ｉｎｆｏｒｍａｔｉｏｎ  Ｔｙｐｅ」内に設定可能な情報要素は、今後拡張可能である。
【００２６】
また、図６に示すように、無線基地局ｅＮＢの生成部１２は、情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」内の情報要素「Ｔａｒｇｅｔ  ＲＮＣ-ＩＤ」に、ＵＴＲＡＮ内に配置されている無線回線制御局ＲＮＣの識別情報（ＬＡＩやＲＡＣやＲＮＣ-ＩＤ等）を設定することができる。
【００２７】
なお、第１情報要素「ＲＩＭ  Ｔｒａｎｓｆｅｒ」内に設定可能な第１無線情報の種類及び第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」内に設定可能な第２無線情報の種類は、別々に変更可能である。
【００２８】
なお、同様に、無線回線制御局ＲＮＣの生成部１２は、「ＤＩＲＥＣＴ  ＩＮＦＯＲＭＡＴＩＯＮ  ＴＲＡＮＳＦＥＲ」を生成するように構成されている。
【００２９】
無線基地局ｅＮＢの送信部１３は、ＧＥＲＡＮに対して、情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」に第１情報要素「ＲＩＭ  Ｔｒａｎｓｆｅｒ」が設定されている「ｅＮＢ  ＤＩＲＥＣＴ  ＩＮＦＯＲＭＡＴＩＯＮ  ＴＲＡＮＳＦＥＲ」を送信し、ＵＴＲＡＮに対して、情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」に第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」が設定されている「ｅＮＢ  ＤＩＲＥＣＴ  ＩＮＦＯＲＭＡＴＩＯＮ  ＴＲＡＮＳＦＥＲ」を送信するように構成されている。
【００３０】
同様に、無線回線制御局ＲＮＣの送信部１３は、ＧＥＲＡＮに対して、情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」に第１情報要素「ＲＩＭ  Ｔｒａｎｓｆｅｒ」が設定されている「ＤＩＲＥＣＴ  ＩＮＦＯＲＭＡＴＩＯＮ  ＴＲＡＮＳＦＥＲ」を送信し、Ｅ-ＵＴＲＡＮに対して、情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」に第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」が設定されている「ＤＩＲＥＣＴ  ＩＮＦＯＲＭＡＴＩＯＮ  ＴＲＡＮＳＦＥＲ」を送信するように構成されている。
【００３１】
また、無線基地局ｅＮＢの受信部１４は、交換局ＭＭＥによって送信された「ＭＭＥ  ＤＩＲＥＣＴ  ＩＮＦＯＲＭＡＴＩＯＮ  ＴＲＡＮＳＦＥＲ」を介して、無線回線制御局ＲＮＣから送信された上述の第１無線情報を受信するように構成されている。
【００３２】
以下、図７乃至図９を参照して、本実施形態に係る移動通信システムにおいて、Ｅ-ＵＴＲＡＮからＵＴＲＡＮに対して、所定情報（ＵＴＲＡＮにおいて要求されている第２無線情報）を転送する動作について説明する。
【００３３】
図７に示すように、ステップＳ１０１において、無線基地局ｅＮＢは、上述の第２無線情報を含む「ｅＮＢ  ＤＩＲＥＣＴ  ＩＮＦＯＲＭＡＴＩＯＮ  ＴＲＡＮＳＦＥＲ」を生成して、交換局ＭＭＥに対して送信する。
【００３４】
ステップＳ１０２において、交換局ＭＭＥは、受信した「ｅＮＢ  ＤＩＲＥＣＴ  ＩＮＦＯＲＭＡＴＩＯＮ  ＴＲＡＮＳＦＥＲ」に含まれる第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」を、図８に示すＧＴＰｖ２-Ｃにおけるメッセージ内の情報要素「Ｅ-ＵＴＲＡＮ-ＵＴＲＡＮ用ＳＯＮ  ｉｎｆｏｒｍａｔｉｏｎ  ｔｒａｎｓｆｅｒ」にマッピングし、受信した「ｅＮＢ  ＤＩＲＥＣＴ  ＩＮＦＯＲＭＡＴＩＯＮ  ＴＲＡＮＳＦＥＲ」に含まれる第２情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」を、図８に示すＧＴＰｖ２-Ｃにおけるメッセージ内の情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」にマッピングして、交換局ＳＧＳＮに対して送信する。
【００３５】
ステップＳ１０３において、交換局ＳＧＳＮは、図９に示すような情報要素を設定可能な「ＤＩＲＥＣＴ  ＩＮＦＯＲＭＡＴＩＯＮ  ＴＲＡＮＳＦＥＲ」によって、無線回線制御局ＲＮＣに対して、上述の第２無線情報を通知する。
【００３６】
次に、図１０乃至図１２を参照して、本実施形態に係る移動通信システムにおいて、ＵＴＲＡＮからＥ-ＵＴＲＡＮに対して、所定情報（Ｅ-ＵＴＲＡＮにおいて要求されている第２無線情報）を転送する動作について説明する。
【００３７】
図１０に示すように、ステップＳ２０１において、無線回線制御局ＲＮＣは、上述の第２無線情報を含む「ＤＩＲＥＣＴ  ＩＮＦＯＲＭＡＴＩＯＮ  ＴＲＡＮＳＦＥＲ」を生成して、交換局ＳＧＳＮに対して送信する。
【００３８】
ここで、図１１に示すように、無線回線制御局ＲＮＣは、「ＤＩＲＥＣＴ  ＩＮＦＯＲＭＡＴＩＯＮ  ＴＲＡＮＳＦＥＲ」内の情報要素「Ｔａｒｇｅｔ  ｅＮＢ-ＩＤ」に、Ｅ-ＵＴＲＡＮ内に配置されている無線基地局ｅＮＢの識別情報（ＰＬＭＮ-ＩＤやＴＡＩやｅＮＢ-ＩＤ等）を設定することができる。
【００３９】
ステップＳ２０２において、交換局ＳＧＳＮは、受信した「ＤＩＲＥＣＴ  ＩＮＦＯＲＭＡＴＩＯＮ  ＴＲＡＮＳＦＥＲ」に含まれる第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」を、図８に示すＧＴＰｖ２-Ｃにおけるメッセージ内の情報要素「Ｅ-ＵＴＲＡＮ-ＵＴＲＡＮ用ＳＯＮ  ｉｎｆｏｒｍａｔｉｏｎ  ｔｒａｎｓｆｅｒ」にマッピングし、受信した「ＤＩＲＥＣＴ  ＩＮＦＯＲＭＡＴＩＯＮ  ＴＲＡＮＳＦＥＲ」に含まれる第２情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」を、図８に示すＧＴＰｖ２-Ｃにおけるメッセージ内の情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」にマッピングして、交換局ＭＭＥに対して送信する。
【００４０】
ステップＳ２０３において、交換局ＭＭＥは、図１２に示すような情報要素を設定可能な「ＭＭＥ  ＤＩＲＥＣＴ  ＩＮＦＯＲＭＡＴＩＯＮ  ＴＲＡＮＳＦＥＲ」によって、無線基地局ｅＮＢに対して、上述の第２無線情報を通知する。
【００４１】
（本発明の第１の実施形態に係る移動通信システムの作用・効果）
本実施形態に係る移動通信システムによれば、既存の「ｅＮＢ  ＤＩＲＥＣＴ  ＩＮＦＯＲＭＡＴＩＯＮ  ＴＲＡＮＳＦＥＲ」や「ＤＩＲＥＣＴ  ＩＮＦＯＲＭＡＴＩＯＮ  ＴＲＡＮＳＦＥＲ」を用いることで、ＧＥＲＡＮの仕様に変更を加えることなく、Ｅ-ＵＴＲＡＮとＵＴＲＡＮとの間で適切に負荷情報を交換することができる。
【００４２】
以上に述べた本実施形態の特徴は、以下のように表現されていてもよい。
【００４３】
本実施形態の第１の特徴は、Ｅ-ＵＴＲＡＮ（第２無線アクセスシステム）内に配置されている無線基地局ｅＮＢであって、ＧＥＲＡＮ（第１無線アクセスシステム）において要求されている第１無線情報及びＧＥＲＡＮ宛ての第１転送先アドレスを含む第１情報要素「ＲＩＭ  Ｔｒａｎｓｆｅｒ」、或いは、ＵＴＲＡＮにおいて要求されている第２無線情報及びＵＴＲＡＮ宛ての第２転送先アドレスを含む第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」のいずれか一方を設定可能な情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」を含む「ｅＮＢ  ＤＩＲＥＣＴ  ＩＮＦＯＲＭＡＴＩＯＮ  ＴＲＡＮＳＦＥＲ（情報転送用メッセージ）」を生成するように構成されている生成部１２と、ＧＥＲＡＮに対して、情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」に第１情報要素「ＲＩＭ  Ｔｒａｎｓｆｅｒ」が設定されている「ｅＮＢ  ＤＩＲＥＣＴ  ＩＮＦＯＲＭＡＴＩＯＮ  ＴＲＡＮＳＦＥＲ」を送信し、ＵＴＲＡＮに対して、情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」に第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」が設定されている「ｅＮＢ  ＤＩＲＥＣＴ  ＩＮＦＯＲＭＡＴＩＯＮ  ＴＲＡＮＳＦＥＲ」を送信するように構成されている送信部１３とを具備しており、第１情報要素「ＲＩＭ  Ｔｒａｎｓｆｅｒ」内に設定可能な第１無線情報の種類及び第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」内に設定可能な第２無線情報の種類を別々に変更可能であることを要旨とする。
【００４４】
本実施形態の第１の特徴において、第２無線情報は、モビリティ負荷分散に係る情報や、モビリティ耐久性最適化に係る情報や、エネルギーセービングに係る情報の少なくとも１つを含んでもよい。
【００４５】
本実施形態の第２の特徴は、ＵＴＲＡＮ（第２無線アクセスシステム）内に配置されている無線回線制御局ＲＮＣであって、ＧＥＲＡＮ（第１無線アクセスシステム）において要求されている第１無線情報及びＧＥＲＡＮ宛ての第１転送先アドレスを含む第１情報要素「ＲＩＭ  Ｔｒａｎｓｆｅｒ」、或いは、Ｅ-ＵＴＲＡＮにおいて要求されている第２無線情報及びＥ-ＵＴＲＡＮ宛ての第２転送先アドレスを含む第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」のいずれか一方を設定可能な情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」を含む「ＤＩＲＥＣＴ  ＩＮＦＯＲＭＡＴＩＯＮ  ＴＲＡＮＳＦＥＲ（情報転送用メッセージ）」を生成するように構成されている生成部１２と、ＧＥＲＡＮに対して、情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」に第１情報要素「ＲＩＭ  Ｔｒａｎｓｆｅｒ」が設定されている「ＤＩＲＥＣＴ  ＩＮＦＯＲＭＡＴＩＯＮ  ＴＲＡＮＳＦＥＲ」を送信し、Ｅ-ＵＴＲＡＮに対して、情報要素「Ｉｎｔｅｒ-ｓｙｓｔｅｍ  Ｉｎｆｏｒｍａｔｉｏｎ  Ｔｒａｎｓｆｅｒ  Ｔｙｐｅ」に第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」が設定されている「ＤＩＲＥＣＴ  ＩＮＦＯＲＭＡＴＩＯＮ  ＴＲＡＮＳＦＥＲ」を送信するように構成されている送信部１３とを具備しており、第１情報要素「ＲＩＭ  Ｔｒａｎｓｆｅｒ」内に設定可能な第１無線情報の種類及び第２情報要素「Ｅ-ＵＴＲＡＮ-ＵＴＲＡＮ用ＳＯＮ  ｉｎｆｏｒｍａｔｉｏｎ  ｔｒａｎｓｆｅｒ」内に設定可能な第２無線情報の種類を別々に変更可能であることを要旨とする。
【００４６】
本実施形態の第２の特徴において、第２無線情報は、モビリティ負荷分散に係る情報や、モビリティ耐久性最適化に係る情報や、エネルギーセービングに係る情報の少なくとも１つを含んでもよい。
【００４７】
なお、上述の無線基地局ｅＮＢや無線回線制御局ＲＮＣや交換局ＭＭＥ/ＳＧＳＮの動作は、ハードウェアによって実施されてもよいし、プロセッサによって実行されるソフトウェアモジュールによって実施されてもよいし、両者の組み合わせによって実施されてもよい。
【００４８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや無線回線制御局ＲＮＣや交換局ＭＭＥ/ＳＧＳＮ内に設けられていてもよい。また、かかる記憶媒体及びプロセッサは、ディスクリートコンポーネントとして無線基地局ｅＮＢや無線回線制御局ＲＮＣや交換局ＭＭＥ/ＳＧＳＮ内に設けられていてもよい。
【００５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００５１】
ｅＮＢ…無線基地局
ＲＮＣ…無線回線制御局
１１…情報取得部
１２…生成部
１３…送信部
１４…受信部
【図１】
2011166624.tif 000003
【図２】
2011166624.tif 000004
【図３】
2011166624.tif 000005
【図４】
2011166624.tif 000006
【図５】
2011166624.tif 000007
【図６】
2011166624.tif 000008
【図７】
2011166624.tif 000009
【図８】
2011166624.tif 000010
【図９】
2011166624.tif 000011
【図１０】
2011166624.tif 000012
【図１１】
2011166624.tif 000013
【図１２】
2011166624.tif 000014
【図１３】
2011166624.tif 000015